(57)【要約】      （修正有）【課題】除草等のメンテナンスが不要であり、省スペース化を図れ、汎用性にも優れた侵入防止柵を提供する。【解決手段】胴縁４を構成するベース材５及びカバー材６と、前記ベース材５を貫く複数の刺突部材７とを具備し、前記ベース材５及びカバー材６はともに、相互に対向する上板部８，１４及び下板部９，１５と、該上板部８，１４及び下板部９，１５を繋ぐ側板部１０，１６とを有し、前記ベース材５及びカバー材６は、前記ベース材５の上板部８及び下板部９の自由端側を前記カバー材６の側板部１６が覆い、かつ、前記カバー材６の上板部１４及び下板部１５が前記ベース材５の上板部８及び下板部９を上下から挟む状態となるように一体化され、前記刺突部材７は、前記ベース材５の上板部８及び下板部９を貫き、頭部７ａが前記ベース材５の上板部８及び前記カバー材６の上板部１４によって上下から挟まれる状態となるように構成されている。【選択図】図２
2018093827.tif 000002
【特許請求の範囲】
【請求項１】
胴縁を構成するベース材及びカバー材と、前記ベース材を貫く複数の刺突部材とを具備し、
前記ベース材及びカバー材はともに、相互に対向する上板部及び下板部と、該上板部及び下板部を繋ぐ側板部とを有し、
前記ベース材及びカバー材は、前記ベース材の上板部及び下板部の自由端側を前記カバー材の側板部が覆い、かつ、前記カバー材の上板部及び下板部が前記ベース材の上板部及び下板部を上下から挟む状態となるように一体化され、
前記刺突部材は、前記ベース材の上板部を貫き、頭部が前記ベース材の上板部及び前記カバー材の上板部によって上下から挟まれる状態となるように構成されている侵入防止柵。
【請求項２】
前記カバー材の下板部の自由端は、前記ベース材の下板部を貫く前記刺突部材に当接するように構成されている請求項１に記載の侵入防止柵。
【請求項３】
前記刺突部材は、長さの異なる他の刺突部材に交換可能である請求項１または２に記載の侵入防止柵。
【請求項４】
前記ベース材の下板部又は前記カバー材の下板部の何れか一方に、当該侵入防止柵の刺突部材によって貫かれる貫通孔と他の侵入防止柵の刺突部材を差し込むための貫通孔とが対で複数設けられ、他方は、前記ベース材と前記カバー材とが一体化された状態で前記各貫通孔を閉塞しないように構成されている請求項１〜３の何れか一項に記載の侵入防止柵。
【発明の詳細な説明】
【技術分野】
【０００１】
本発明は、例えば、地面を掘り起こす動物の侵入防止に好適な侵入防止柵に関する。
【背景技術】
【０００２】
従来、山間地においては、高速道路への立ち入りや野生動物の侵入を防止するために、フェンスが設置されている。ところで、図８（Ａ）に示すように、フェンス５１の下桟５２と地面Ｇとの間に隙間５３があると、猪等の野生動物がその隙間５３の下にある地面Ｇを掘り下げ、隙間５３を大きくして、そこから高速道路内に侵入することが可能となり、この場合、事故に繋がる危険が生じる。
【０００３】
そこで、図８（Ｂ）に示すように、フェンス５１の下方の隙間５３を覆うように、Ｌ字状に折曲した網状体５４を設置することが考えられる。
【発明の概要】
【発明が解決しようとする課題】
【０００４】
しかし、上記網状体５４では、網状体５４のうちの地面Ｇを覆う被覆部分５５が、地面から生えてきた雑草によって持ち上げられ、その持ち上げられた部分から動物の侵入を許してしまう恐れがある。また、これを防ぐために芝刈り機で除草作業を行おうとすると、芝刈り機によって網状体５４が切断され、その切断部からやはり動物が侵入してしまう恐れもある。さらに、被覆部分５５は動物の侵入防止の上で必須であるが、特に山間地ではこの被覆部分５５を展張するための十分なスペースが確保できない場合もあり、被覆部分５５が小さく動物の侵入防止が不十分となったり、網状体５４自体を設置することができなかったりするなど、汎用性に欠けるという問題もある。
【０００５】
本発明は上述の事柄に留意してなされたもので、その目的は、除草等のメンテナンスが不要であり、省スペース化を図れ、汎用性にも優れた侵入防止柵を提供することにある。
【課題を解決するための手段】
【０００６】
上記目的を達成するために、本発明に係る侵入防止柵は、胴縁を構成するベース材及びカバー材と、前記ベース材を貫く複数の刺突部材とを具備し、前記ベース材及びカバー材はともに、相互に対向する上板部及び下板部と、該上板部及び下板部を繋ぐ側板部とを有し、前記ベース材及びカバー材は、前記ベース材の上板部及び下板部の自由端側を前記カバー材の側板部が覆い、かつ、前記カバー材の上板部及び下板部が前記ベース材の上板部及び下板部を上下から挟む状態となるように一体化され、前記刺突部材は、前記ベース材の上板部を貫き、頭部が前記ベース材の上板部及び前記カバー材の上板部によって上下から挟まれる状態となるように構成されている（請求項１）。
【０００７】
上記侵入防止柵において、前記カバー材の下板部の自由端は、前記ベース材の下板部を貫く前記刺突部材に当接するように構成されていてもよい（請求項２）。
【０００８】
上記侵入防止柵において、前記刺突部材は、長さの異なる他の刺突部材に交換可能としてもよい（請求項３）。
【０００９】
上記侵入防止柵において、前記ベース材の下板部又は前記カバー材の下板部の何れか一方に、当該侵入防止柵の刺突部材によって貫かれる貫通孔と他の侵入防止柵の刺突部材を差し込むための貫通孔とが対で複数設けられ、他方は、前記ベース材と前記カバー材とが一体化された状態で前記各貫通孔を閉塞しないように構成されていてもよい（請求項４）。
【発明の効果】
【００１０】
本願発明では、除草等のメンテナンスが不要であり、省スペース化を図れ、汎用性にも優れた侵入防止柵が得られる。
【００１１】
すなわち、本願の各請求項に係る発明の侵入防止柵は、図８（Ｂ）に示す網状体５４のように地面に展張して用いられるものではなく、故に、地面に沿って地面から生えてきた雑草等によって持ち上げられ難いものであるため、除草等のメンテナンスは不要であり、また、省スペース化を図れ、優れた汎用性も得られる。
【００１２】
請求項２に係る発明の侵入防止柵では、カバー材の下板部の自由端がベース材の下板部を貫く刺突部材に当接することにより、刺突部材は強力に固定されているため、侵入防止柵を地面に打ち込む際に刺突部材はがたつかず、打ち込み作業を良好に行える。
【００１３】
請求項３に係る発明の侵入防止柵では、地面に凹凸がある場合でも、その凹凸に合わせて適宜の長さの刺突部材を選択することにより、動物の侵入を許す隙間が形成されることを確実に防止することができる。
【００１４】
請求項４に係る発明の侵入防止柵では、二つの侵入防止柵を刺突部材の先端が互いに向き合うようにし、各々の刺突部材の先端を相手方の侵入防止柵の貫通孔に挿入することにより、例えば各刺突部材の先端を覆った状態で梱包して、安全に取り扱うことができる。さらに、各貫通孔は、侵入防止柵の設置状態において、胴縁内に進入した雨水等を抜くための水抜き穴としても機能するというメリットも得られる。
【図面の簡単な説明】
【００１５】
【図１】本発明の一実施の形態に係る侵入防止柵の平地への設置状態の構成を概略的に示す説明図である。
【図２】（Ａ）〜（Ｅ）は、前記侵入防止柵の組立工程を概略的に示す斜視図である。
【図３】（Ａ）〜（Ｆ）は、前記侵入防止柵の組立工程を概略的に示す縦断面図である。
【図４】（Ａ）及び（Ｂ）は、前記侵入防止柵のベース材の平面図及び底面図である。
【図５】前記侵入防止柵の傾斜地への設置状態の構成を概略的に示す説明図である。
【図６】（Ａ）〜（Ｃ）は、前記侵入防止柵のベース部材及びカバー部材の要部の構成、その変形例の構成及び他の変形例の構成を概略的に示す斜視図である。
【図７】（Ａ）〜（Ｆ）は、前記侵入防止柵の変形例の組立工程を概略的に示す縦断面図である。
【図８】（Ａ）は従来のフェンスの設置状態の構成を示す正面図、（Ｂ）は従来のフェンスに用いられている網状体の設置状態の構成を示す斜視図である。
【発明を実施するための形態】
【００１６】
本発明の実施の形態について図面を参照しながら以下に説明する。
【００１７】
図１に示す侵入防止柵１は、例えば既設のフェンスＦの下桟２と地面Ｇとの隙間３を覆うために、下桟２に沿う状態で設置される地中打込み式の柵であり、図８（Ｂ）に示す網状体５４の替わりとなるものである。なお、図１にはフェンスＦの全体を示しておらず、下部のみを示している。また、図１には、二つ並べた状態の侵入防止柵１を示している。
【００１８】
フェンスＦとしては、ネットフェンスなど、種々のフェンスが挙げられるが、侵入防止柵１は、下桟２と地面Ｇとの間に隙間が生じるフェンスＦに用いて特に有効なものである。また、フェンスＦが既設のものではなく、侵入防止柵１とともに新設しようとするものであってもよい。
【００１９】
そして、侵入防止柵１は、胴縁４を構成するベース材５（図２（Ａ）参照）及びカバー材６（図２（Ｄ）参照）と、ベース材５を貫く複数の刺突部材７（図２（Ｂ）参照）とを具備し、図２（Ａ）に示すベース材５に対して、図２（Ｂ）及び（Ｃ）に示すように、複数の刺突部材７を差し込んだ後（図３（Ａ）及び（Ｂ）も参照）、図２（Ｄ）及び（Ｅ）に示すように、カバー材６を装着して一体化することにより組み立てられる（図３（Ｃ）〜（Ｆ）も参照）。なお、図２（Ａ）〜（Ｅ）では、図示の簡略化のため、図１よりも侵入防止柵１を短くし、用いる刺突部材７の本数を減らしている。また、各部材５，６，７は金属製である。
【００２０】
詳述すると、ベース材５は、図２（Ａ）及び図３（Ａ）に示すように、相互に対向する上板部８及び下板部９と、上板部８及び下板部９を繋ぐ側板部１０とを有する。上板部８及び下板部９には、刺突部材７を差し込むための複数の貫通孔１１，１２が各々長手方向に所定間隔で設けられ（図４（Ａ）及び（Ｂ）も参照）、上板部８の各貫通孔１１の直下には、下板部９の貫通孔１２が位置する。また、側板部１０の両端部にも貫通孔１３が設けられている。
【００２１】
カバー材６は、図２（Ｄ）及び図３（Ｃ）に示すように、相互に対向する上板部１４及び下板部１５と、上板部１４及び下板部１５を繋ぐ側板部１６とを有する。下板部１５の突出長さは上板部１４よりも短く、上板部１４の突出長さは、ベース材５の上板部８及び下板部９と同程度である。また、側板部１６の両端部には貫通孔１７が設けられている。
【００２２】
刺突部材７は、図２（Ｂ）及び図３（Ａ）に示すように、スティック状（大釘状）の部材であり、大径の頭部７ａを有し、先端は尖っている。なお、刺突部材７は、例えば平釘状等、他の形状をしていてもよい。
【００２３】
而して、ベース材５及びカバー材６は、ベース材５の上板部８及び下板部９の自由端側をカバー材６の側板部１６が覆い（図３（Ｃ）及び（Ｄ）参照）、かつ、カバー材６の上板部１４及び下板部１５がベース材５の上板部８及び下板部９を上下から挟む状態となるように一体化される。具体的には、図３（Ｅ）及び（Ｆ）に示すように、ベース材５の側板部１０の貫通孔１３及びカバー材６の側板部１６の貫通孔１７を貫くボルト１８及びナット１９を用いた締結により、両者５，６は一体化される。
【００２４】
そして、ベース材５及びカバー材６が一体化され、組み立てられた状態の侵入防止柵１においては、各刺突部材７は、ベース材５の上板部８及び下板部９を貫き、頭部７ａがベース材５の上板部８及びカバー材６の上板部１４によって上下から挟まれる状態となる。すなわち、刺突部材７の頭部７ａはベース材５の上板部８の貫通孔１１を通過することはできない。
【００２５】
上記のように構成される侵入防止柵１は、図１に示すように、フェンスＦに沿う位置において地面Ｇに打ち込まれ、胴縁４は適宜の結束部材（結束バンド等）２０により、フェンスＦにおける適宜の部位（例えば下桟）に結束される。なお、金づち等により侵入防止柵１を打ち込む際は、侵入防止柵１の上面に当て木を添えておくのが好ましい。また、侵入防止柵１を打ち込もうとする地中に石等の夾雑物が存在する場合は、侵入防止柵１の打ち込み前に適宜の器具を用いて夾雑物を予め取り除いておいてもよい。
【００２６】
本例の侵入防止柵１では、図８（Ｂ）に示す網状体５４のように地面に展張して用いられるものではなく、故に、地面Ｇから生えてきた雑草等によって持ち上げられ難いものであるため、除草等のメンテナンスは不要であり、また、省スペース化を図れ、優れた汎用性も得られる。
【００２７】
ここで、侵入防止柵１において、各刺突部材７は、ベース材５の上板部８及び下板部９の貫通孔１１，１２を貫いた状態になっており、この構成自体により、それほど大きくがたつくことはないが、カバー材６の下板部１５の自由端は、ベース材５の下板部９を貫く刺突部材７に当接するように構成されており、これにより、刺突部材７は強力に固定されているため、侵入防止柵１を地面Ｇに打ち込む際に刺突部材７はがたつかず、打ち込み作業を良好に行える。
【００２８】
また、刺突部材７は、長さの異なる他の刺突部材７に交換可能であり、図１に示すように地面Ｇに凹凸がある場合でも、その凹凸に合わせて適宜の長さの刺突部材７を選択することにより、フェンスＦの下方に隙間が形成されることを確実に防止することができる。
【００２９】
ところで、刺突部材７の先端は尖っているため、その先端を剥き出しにしたまま侵入防止柵１を作業員等が取り扱うのは危険である。そこで、本例の侵入防止柵１では、図４（Ｂ）に示すように、ベース材５の下板部９に、貫通孔１２と対になる貫通孔２１を設けてある。これにより、侵入防止柵１は、二つの侵入防止柵１を刺突部材７の先端が互いに向き合うようにし、各々の刺突部材７の先端を相手方の侵入防止柵１の貫通孔２１に挿入することにより、例えば各刺突部材７の先端を覆った状態で梱包して、安全に取り扱うことができる。さらに、貫通孔２１は、侵入防止柵１の設置状態において、胴縁４内に進入した雨水等を抜くための水抜き穴としても機能する。
【００３０】
なお、本発明は、上記の実施の形態に何ら限定されず、本発明の要旨を逸脱しない範囲において種々に変形して実施し得ることは勿論である。例えば、以下のような変形例を挙げることができる。
【００３１】
図１には、侵入防止柵１を平地に設置する例を示したが、例えば、図５に示すような斜面に侵入防止柵１を設置することもできる。この場合、フェンスＦの基礎が邪魔になって打ち込めない刺突部材７（図５では最も右側の刺突部材７）については、短い刺突部材７を用いるか、刺突部材７の先端部を切断すればよい。また、侵入防止柵１の谷側に大きな隙間ができてしまうような場合には、例えば刺突部材７を単独で地面に打ち込み（図５では最も左側の刺突部材７）、その隙間を無くすようにすればよく、この場合、単独で打ち込んだ刺突部材７は適宜の結束部材２０により、フェンスＦに結束することが望ましい。
【００３２】
侵入防止柵１は、作業性、施工性、運搬性等を考慮して、その長さＬ（図１参照）を１ｍ程度（本例では９５０ｍｍ）とするのが好ましいが、長さＬは適宜に変更可能である。また、動物の侵入防止や経済性の観点から、刺突部材７を５０ｍｍピッチとすることが考えられるが、この間隔も適宜変更可能である。
【００３３】
上記実施形態では、図６（Ａ）に示すように、ベース材５において、上板部８と同程度突出させた下板部９に貫通孔１２，２１を設け、カバー材６の下板部１５の突出長さをベース材５の下板部９より短くし、ベース材５とカバー材６を一体化した状態で、刺突部材７はベース材５のみを貫き、カバー材６の下板部１５の自由端がこの刺突部材７に当接するようにしてある。しかし、これに限らず、例えば、図６（Ｂ）に示すように、カバー材６において、上板部１４と同程度突出させた下板部１５に貫通孔１２，２１を設け、ベース材５の下板部９の突出長さをカバー材６の下板部１５より短くして貫通孔１２，２１を無くし、ベース材５とカバー材６を一体化した状態で、刺突部材７はベース材５の上板部８とカバー材６の下板部１５を貫き、ベース材５の下板部９の自由端がこの刺突部材７に当接するようにしてもよい。
【００３４】
この変形例に係るベース材５及びカバー材６を組み立てるには、図７（Ａ）及び（Ｂ）に示すようにベース材５の上板部８の各貫通孔１１に対して複数の刺突部材７を差し込み、図７（Ｃ）に示すようにカバー材６の下板部１５の貫通孔１２に刺突部材７を差し込んだ後、図７（Ｄ）〜（Ｆ）に示すように、ベース材５とカバー材６とを一体化することにより組み立てられる。なお、図７（Ｅ）及び（Ｆ）の過程は、図３（Ｅ）及び（Ｆ）に示す過程と同様に行われるのであって、図７（Ａ）〜（Ｆ）において貫通孔１３，１７の図示は省略している。また、図７（Ｃ）に示すように、装着の過程でカバー材６の貫通孔１２に刺突部材７を差し込んだ状態でカバー材６を刺突部材７に対して斜めにする必要があるため、このことを考慮して貫通孔１２は大き目に形成しておく。
【００３５】
また、上記実施形態では、図６（Ａ）に示すように、ベース材５の下板部９に貫通孔１２を設けているが、これに限らず、図６（Ｃ）に示すように、この貫通孔１２を、下板部９の自由端側から切り込まれ、刺突部材７の周縁に沿う切り込み溝１２Ａとしてもよい。この場合、カバー材６の構成は元のまま（図６（Ａ）に示すカバー材６）としてもよいが、図６（Ｃ）に示すように、下板部１５の突出長さを大きくし、下板部１５の自由端側から切り込まれ、刺突部材７の周縁に沿う切り込み溝１５Ａ（切り込み溝１２Ａと同様の構成のもの）を切り込み溝１２Ａに対応する位置に設けてもよい。そして、このような貫通孔１２に関する変形は、貫通孔１２のみならず、貫通孔２１についても同様に行えるのであり、貫通孔２１についてのみ斯かる変形を行うようにしてもよい。
【００３６】
なお、上記変形例どうしを適宜組み合わせてもよいことはいうまでもない。
【符号の説明】
【００３７】
１    侵入防止柵
２    下桟
３    隙間
４    胴縁
５    ベース材
６    カバー材
７    刺突部材
７ａ  頭部
８    上板部
９    下板部
１０    側板部
１１    貫通孔
１２    貫通孔
１２Ａ  切り込み溝
１３    貫通孔
１４    上板部
１５    下板部
１５Ａ  切り込み溝
１６    側板部
１７    貫通孔
１８    ボルト
１９    ナット
２０    結束部材
２１    貫通孔
２１Ａ  切り込み溝
５１    フェンス
５２    下桟
５３    隙間
５４    網状体
５５    被覆部分
Ｆ    フェンス
Ｇ    地面
【図１】
2018093827.tif 000003
【図２】
2018093827.tif 000004
【図３】
2018093827.tif 000005
【図４】
2018093827.tif 000006
【図５】
2018093827.tif 000007
【図６】
2018093827.tif 000008
【図７】
2018093827.tif 000009
【図８】
2018093827.tif 000010